【手続補正書】
【提出日】平成20年3月26日(2008.3.26)
【手続補正１】
【補正対象書類名】特許請求の範囲
【補正対象項目名】全文
【補正方法】変更
【補正の内容】
【特許請求の範囲】
【請求項１】
受信機であって、
少なくとも１つのアンテナに結合されており、第１及び第２の信号を受け取り処理しデジタル化して、入力サンプルの第１及び第２のストリームを発生する入力回路と、
干渉排除回路であって、
第１及び第２の適応係数を用いて入力サンプルの前記第１及び第２のストリームをフィルタリングし第１及び第２のフィルタ出力を発生するように結合されており、少なくとも一方は、可変位相シフトを適用して前記第１の信号と前記第２の信号との間の位相偏差を補償するように構成されている第１及び第２の処理チェーンと、
前記第１及び第２のフィルタ出力を加算し、前記第１の信号を表す出力サンプルの第３のストリームを発生するように結合された加算器と、
を含む干渉排除回路と、
前記第１及び第２の適応係数を設定し、前記出力サンプルに応答して前記可変位相シフトを個別に設定するように動作する係数コントローラと、
を含むことを特徴とする受信機。
【請求項２】
請求項１記載の受信機において、前記第１及び第２の処理チェーンは第１及び第２の適応等化フィルタをそれぞれ含むことを特徴とする受信機。
【請求項３】
請求項２記載の受信機において、前記第１及び第２の処理チェーンの少なくとも一方は適応位相回転器を含み、前記適応位相回転器は前記可変位相シフトを前記第１及び第２の適応等化フィルタの少なくとも一方の出力に与えるように結合されていることを特徴とする受信機。
【請求項４】
請求項１記載の受信機において、前記第１の信号は前記第２の信号に起因する干渉を含み、前記係数コントローラは前記第１及び第２の係数と前記可変位相シフトとを決定し出力サンプルのストリームにおける前記第２の信号に起因する干渉を減少させるように動作することを特徴とする受信機。
【請求項５】
請求項１記載の受信機において、前記係数コントローラは、第１の収束ファクタに応答して前記可変位相シフトを設定し、第２の収束ファクタに応答して前記第２の適応係数を少なくとも設定し、前記収束ファクタは、前記適応位相回転器が前記第２の信号に起因する前記干渉の変化に前記第２の適応フィルタよりも実質的に高速に適応するように選択されていることを特徴とする受信機。
【請求項６】
請求項５記載の受信機において、前記係数コントローラは、前記出力サンプルに応答して誤差値を決定し、前記誤差値に応答して前記第１及び第２の適応係数と前記可変位相シフトとを決定するように動作することを特徴とする受信機。
【請求項７】
請求項６記載の受信機において、前記係数コントローラは、異なる位相回転を前記誤差値に適用することによって前記第１及び第２の適応係数のそれぞれと前記可変位相シフトとを設定する際に適用するそれぞれの誤差信号を決定するように動作することを特徴とする受信機。
【請求項８】
請求項６記載の受信機において、前記誤差値に応答して更なる可変位相シフトを前記出力サンプルに適用するように結合された位相回転器を更に含んでいることを特徴とする受信機。
【請求項９】
請求項６記載の受信機において、前記係数コントローラは、この受信機の初期動作フェーズではブラインド適用基準を用いて前記誤差値を決定し、この受信機の後続動作フェーズでは最小平均自乗（ＬＭＳ）基準を用いて前記誤差値を決定することを特徴とする受信機。
【請求項１０】
請求項８記載の受信機において、前記ブラインド適応基準は定包絡線基準を含むことを特徴とする受信機。
【請求項１１】
請求項１記載の受信機において、前記第１及び第２の信号は第１及び第２の送信されたデータを表す第１及び第２の一連のシンボルをそれぞれ搬送し、この受信機は、更に、前記第１の一連のシンボルを回復するために前記出力サンプルを処理するように結合されている判断デバイスを含むことを特徴とする受信機。
【請求項１２】
請求項１記載の受信機において、前記干渉排除回路は、前記入力サンプルの前記第１及び第２のストリームを処理して前記第２の信号を表す出力サンプルの第４のストリームを発生するように動作することを特徴とする受信機。
【請求項１３】
請求項１記載の受信機において、前記第１及び第２の信号は第１及び第２の相互に直交する偏向を有するように送信されることを特徴とする受信機。
【請求項１４】
受信機であって、
少なくとも１つのアンテナに結合されており、第１及び第２の信号を受け取り処理しデジタル化して、入力サンプルの第１及び第２のストリームを発生する入力回路と、
干渉排除回路であって、
第１の適応係数を用いて入力サンプルの前記第１のストリームをフィルタリングして第１のフィルタ出力を発生する第１の適応フィルタと、
第２の適応係数を用いて入力サンプルの前記第２のストリームをフィルタリングして第２のフィルタ出力を発生する第２の適応フィルタと、
可変位相シフトを前記第１及び第２のフィルタ出力の少なくとも一方に適用することにより前記第１の信号と前記第２の信号との間の位相偏差を補償するように結合されている適応位相回転器と、
前記可変位相シフトの適用の後で前記第１及び第２のフィルタ出力を加算し、前記第１の信号を表す出力サンプルの第３のストリームを発生するように結合された加算器と、
を含む干渉排除回路と、
を含むことを特徴とする受信機。
【請求項１５】
請求項１４記載の受信機において、前記第１の信号は前記第２の信号に起因する干渉を含み、前記第１及び第２の係数と前記可変位相シフトとは、出力サンプルのストリームにおける前記第２の信号に起因する干渉を減少させるように決定されることを特徴とする受信機。
【請求項１６】
請求項１４記載の受信機において、前記干渉排除回路は、前記出力サンプルに応答して前記第１及び第２の適応係数と前記可変位相シフトとを設定するように動作する係数コントローラを含むことを特徴とする受信機。
【請求項１７】
請求項１４記載の受信機において、前記第１及び第２の信号は第１及び第２の送信されたデータを表す第１及び第２の一連のシンボルをそれぞれ搬送し、この受信機は、更に、前記第１の一連のシンボルを回復するために前記出力サンプルを処理するように結合された判断デバイスを含むことを特徴とする受信機。
【請求項１８】
請求項１４記載の受信機において、前記干渉排除回路は、前記入力サンプルの前記第１及び第２のストリームを処理して前記第２の信号を表す出力サンプルの第４のストリームを発生するように動作することを特徴とする受信機。
【請求項１９】
請求項１４記載の受信機において、前記第１及び第２の信号は第１及び第２の相互に直交する偏向を有するように送信されることを特徴とする受信機。
【請求項２０】
無線通信装置であって、
第１及び第２の信号を空気を介して送信するように動作する送信機と、
受信機であって、
少なくとも１つのアンテナに結合されており、第１及び第２の信号を受け取り処理しデジタル化して、入力サンプルの第１及び第２のストリームを発生する入力回路と、
干渉排除回路であって、
第１及び第２の適応係数を用いて入力サンプルの前記第１及び第２のストリームをフィルタリングし第１及び第２のフィルタ出力を発生するように結合されており、少なくとも一方は、可変位相シフトを適用して前記第１の信号と前記第２の信号との間の位相偏差を補償するように構成されている第１及び第２の処理チェーンと、
前記第１及び第２のフィルタ出力を加算し、前記第１の信号を表す出力サンプルの第３のストリームを発生するように結合された加算器と、
を含む干渉排除回路と、
前記第１及び第２の適応係数を設定し、前記出力サンプルに応答して前記可変位相シフトを個別に設定するように動作する係数コントローラと、
を含む受信機と、
を含むことを特徴とする無線通信装置。
【請求項２１】
請求項２０記載の装置において、前記第１及び第２の処理チェーンは第１及び第２の適応等化フィルタをそれぞれ含むことを特徴とする装置。
【請求項２２】
請求項２１記載の装置において、前記第１及び第２の処理チェーンの少なくとも一方は適応位相回転器を含み、前記適応位相回転器は前記可変位相シフトを前記第１及び第２の適応等化フィルタの少なくとも一方の出力に与えるように結合されていることを特徴とする装置。
【請求項２３】
請求項２０記載の装置において、前記第１の信号は前記第２の信号に起因する干渉を含み、前記係数コントローラは前記第１及び第２の係数と前記可変位相シフトとを決定し出力サンプルのストリームにおける前記第２の信号に起因する干渉を減少させるように動作することを特徴とする装置。
【請求項２４】
請求項２０記載の装置において、前記係数コントローラは、第１の収束ファクタに応答して前記可変位相シフトを設定し、第２の収束ファクタに応答して前記第２の適応係数を少なくとも設定し、前記収束ファクタは、前記適応位相回転器が前記第２の信号に起因する前記干渉の変化に前記第２の適応フィルタよりも実質的に高速に適応するように選択されていることを特徴とする装置。
【請求項２５】
請求項２０記載の装置において、前記係数コントローラは、前記出力サンプルに応答して誤差値を決定し、前記誤差値に応答して前記第１及び第２の適応係数と前記可変位相シフトとを決定するように動作することを特徴とする装置。
【請求項２６】
請求項２５記載の装置において、前記係数コントローラは、異なる位相回転を前記誤差値に適用することによって前記第１及び第２の適応係数のそれぞれと前記可変位相シフトとを設定する際に適用するそれぞれの誤差信号を決定するように動作することを特徴とする装置。
【請求項２７】
請求項２５記載の装置において、前記受信機は前記誤差値に応答して更なる可変位相シフトを前記出力サンプルに適用するように結合された位相回転器を更に含んでいることを特徴とする装置。
【請求項２８】
請求項２５記載の装置において、前記係数コントローラは、この装置の初期動作フェーズではブラインド適用基準を用いて前記誤差値を決定し、この装置の後続動作フェーズでは最小平均自乗（ＬＭＳ）基準を用いて前記誤差値を決定することを特徴とする装置。
【請求項２９】
請求項２８記載の装置において、前記ブラインド適応基準は定包絡線基準を含むことを特徴とする装置。
【請求項３０】
請求項２０記載の装置において、前記第１及び第２の信号は第１及び第２の送信されたデータを表す第１及び第２の一連のシンボルをそれぞれ搬送し、前記受信機は、更に、前記第１の一連のシンボルを回復するために前記出力サンプルを処理するように結合された判断デバイスを含むことを特徴とする装置。
【請求項３１】
請求項２０記載の装置において、前記干渉排除回路は、前記入力サンプルの前記第１及び第２のストリームを処理して前記第２の信号を表す出力サンプルの第４のストリームを発生するように動作することを特徴とする装置。
【請求項３２】
請求項２０記載の装置において、前記送信機は、第１及び第２の相互に直交する偏向を有するように前記第１及び第２の信号を送信するように構成され、前記入力回路は前記第１及び第２の偏向を分離するように構成されていることを特徴とする装置。
【請求項３３】
無線通信装置であって、
第１及び第２の信号を空気を介して送信するように動作する送信機と、
受信機であって、
第１及び第２の信号を受け取り処理しデジタル化して、入力サンプルの第１及び第２のストリームを発生する入力回路と、
干渉排除回路であって、
第１の適応係数を用いて入力サンプルの前記第１のストリームをフィルタリングして第１のフィルタ出力を発生する第１の適応フィルタと、
第２の適応係数を用いて入力サンプルの前記第２のストリームをフィルタリングして第２のフィルタ出力を発生する第２の適応フィルタと、
可変位相シフトを前記第１及び第２のフィルタ出力の少なくとも一方に適用することにより前記第１の信号と前記第２の信号との間の位相偏差を補償するように結合されている適応位相回転器と、
前記可変位相シフトの適用の後で前記第１及び第２のフィルタ出力を加算し、前記第１の信号を表す出力サンプルの第３のストリームを発生するように結合された加算器と、
を含む干渉排除回路と、
を含むことを特徴とする無線通信装置。
【請求項３４】
請求項３３記載の装置において、前記入力回路に受け取られた前記第１の信号は前記第２の信号に起因する干渉を含み、前記第１及び第２の係数と前記可変位相シフトとは、出力サンプルのストリームにおける前記第２の信号に起因する干渉を減少させるように決定されることを特徴とする装置。
【請求項３５】
請求項３３記載の装置において、前記干渉排除回路は、前記出力サンプルに応答して前記第１及び第２の適応係数と前記可変位相シフトとを設定するように動作する係数コントローラを含むことを特徴とする装置。
【請求項３６】
請求項３３記載の装置において、前記第１及び第２の信号は第１及び第２の送信されたデータを表す第１及び第２の一連のシンボルをそれぞれ搬送し、前記受信機は、前記第１の一連のシンボルを回復するために前記出力サンプルを処理するように結合された判断デバイスを含むことを特徴とする装置。
【請求項３７】
請求項３３記載の装置において、前記干渉排除回路は、前記入力サンプルの前記第１及び第２のストリームを処理して前記第２の信号を表す出力サンプルの第４のストリームを発生するように動作することを特徴とする装置。
【請求項３８】
請求項３３記載の装置において、前記送信機は、第１及び第２の相互に直交する偏向を有するように前記第１及び第２の信号を送信するように構成され、前記入力回路は前記第１及び第２の偏向を分離するように構成されていることを特徴とする装置。
【請求項３９】
無線通信方法であって、
空気を介して送信された第１及び第２の信号を受信するステップと、
前記受信された信号を処理しデジタル化して、入力サンプルの第１及び第２のストリームを発生するステップと、
第１及び第２の適応係数を用いて入力サンプルの前記第１及び第２のストリームをフィルタリングし、第１及び第２のフィルタ出力を発生するステップであって、前記フィルタリングは可変位相シフトを適用して前記第１の信号と前記第２の信号との間の位相偏差を補償するステップと、
前記可変位相シフトを適用して前記第１の信号を表す出力サンプルの第３のストリームを発生する後で、前記第１及び第２のフィルタ出力を加算するステップと、
前記第１及び第２の適応係数を設定し、前記出力サンプルに応答して前記可変位相シフトを個別に設定するステップと、
を含むことを特徴とする方法。
【請求項４０】
請求項３９記載の方法において、前記入力サンプルの前記第１及び第２のストリームをフィルタリングするステップは、第１及び第２の適応等化フィルタを前記第１及び第２のストリームにそれぞれ適用するステップを含むことを特徴とする方法。
【請求項４１】
請求項４０記載の方法において、前記可変位相シフトを適用するステップは、適応位相回転器を前記第１及び第２の適応等化フィルタの少なくとも一方の出力に適用するステップを含むことを特徴とする方法。
【請求項４２】
請求項３９記載の方法において、前記第１及び第２のフィルタ出力を加算するステップは、出力サンプルの前記第３のストリームを発生して前記第２の信号に起因する前記第１の信号における干渉を減少させるステップを含むことを特徴とする方法。
【請求項４３】
請求項３９記載の方法において、前記可変位相シフトを設定するステップは第１の収束ファクタに応答して前記可変位相シフトを調整するステップを含み、前記第２の適応フィルタ係数を設定するステップは第２の収束ファクタに応答して前記第２の適応係数を調整するステップを含み、前記収束ファクタは、前記適応位相回転器が前記第２の信号に起因する前記干渉の変化に前記第２の適応フィルタよりも実質的に高速に適応するように選択されることを特徴とする方法。
【請求項４４】
請求項３９記載の方法において、前記第１及び第２の適応フィルタ係数と前記可変位相シフトとを設定するステップは、前記出力サンプルに応答して誤差値を決定し、前記誤差値に応答して前記第１及び第２の適応係数と前記可変位相シフトとを設定するステップを含むことを特徴とする方法。
【請求項４５】
請求項４４記載の方法において、前記第１及び第２の適応フィルタ係数と前記可変位相シフトとを設定するステップは、異なる位相回転を前記誤差値に適用することによって前記第１及び第２の適応係数のそれぞれと前記可変位相シフトとを設定する際に適用するそれぞれの誤差信号を決定するステップを含むことを特徴とする方法。
【請求項４６】
請求項４４記載の方法において、前記誤差値に応答して更なる可変位相シフトを前記出力サンプルに適用するステップを更に含むことを特徴とする方法。
【請求項４７】
請求項４４記載の方法において、前記誤差値を決定するステップは、初期動作フェーズではブラインド適用基準を用いて前記誤差値を決定するステップを含み、後続動作フェーズでは最小平均自乗（ＬＭＳ）基準を用いて前記誤差値を決定するステップを含むことを特徴とする方法。
【請求項４８】
請求項４７記載の方法において、前記ブラインド適応基準は定包絡線基準を含むことを特徴とする方法。
【請求項４９】
請求項３９記載の方法において、前記第１及び第２の信号は第１及び第２の送信されたデータを表す第１及び第２の一連のシンボルをそれぞれ搬送し、この方法は、更に、前記第１の一連のシンボルを回復するために前記出力サンプルを処理するステップを含むことを特徴とする方法。
【請求項５０】
請求項３９記載の方法において、前記入力サンプルの前記第１及び第２のストリームをフィルタリングして前記可変位相シフトを適応するステップは、前記第２の信号を表す出力サンプルの第４のストリームを発生するように前記入力サンプルの前記第１及び第２のストリームを処理するステップを含むことを特徴とする方法。
【請求項５１】
請求項３９記載の方法において、前記第１及び第２の信号は第１及び第２の相互に直交する偏向を有するように送信され、前記第１及び第２の信号を受信するステップは前記第１及び第２の偏向を分離するステップを含むことを特徴とする方法。
【請求項５２】
無線通信方法であって、
空気を介して送信された第１及び第２の信号を受信するステップと、
前記受信された信号を処理しデジタル化して、入力サンプルの第１及び第２のストリームを発生するステップと、
第１の適応フィルタ係数を用いて入力サンプルの前記第１のストリームをフィルタリングして第１のフィルタ出力を発生するステップと、
第２の適応フィルタ係数を用いて入力サンプルの前記第２のストリームをフィルタリングして第２のフィルタ出力を発生するステップと、
可変位相シフトを前記第１及び第２のフィルタ出力の少なくとも一方に適用することにより前記第１の信号と前記第２の信号との間の位相偏差を補償するステップと、
前記可変位相シフトの適用の後で前記第１及び第２のフィルタ出力を加算し、前記第１の信号を表す出力サンプルの第３のストリームを発生するステップと、
を含むことを特徴とする方法。
【請求項５３】
請求項５２記載の方法において、前記第１及び第２のフィルタ出力を加算するステップは、出力サンプルの前記第３のストリームを発生して前記第２の信号に起因する前記第１の信号における干渉を減少させるステップを含むことを特徴とする方法。
【請求項５４】
請求項５２記載の方法において、前記出力サンプルの前記第１及び第２のストリームをフィルタリングし前記可変位相シフトを適応するステップは、前記出力サンプルに応答して前記第１及び第２の適応フィルタ係数と前記可変位相シフトとを設定するステップを更に含むことを特徴とする方法。
【請求項５５】
請求項５２記載の方法において、前記第１及び第２の信号は第１及び第２の送信されたデータを表す第１及び第２の一連のシンボルをそれぞれ搬送し、この方法は、更に、前記第１の一連のシンボルを回復するために前記出力サンプルを処理するステップを含むことを特徴とする方法。
【請求項５６】
請求項５２記載の方法において、前記入力サンプルの前記第１及び第２のストリームをフィルタリングして前記可変位相シフトを適応するステップは、前記第２の信号を表す出力サンプルの第４のストリームを発生するように前記入力サンプルの前記第１及び第２のストリームを処理するステップを含むことを特徴とする方法。
【請求項５７】
請求項５２記載の方法において、前記第１及び第２の信号は第１及び第２の相互に直交する偏向を有するように送信され、前記第１及び第２の信号を受信するステップは前記第１及び第２の偏向を分離するステップを含むことを特徴とする方法。